【事件の表示】
　特許第３１２８４９９号「偏平ガス機器用バーナ」の請求項１に係る特許に対する特許異議の申立てについて、次のとおり決定する。
【結　論】
　訂正を認める。
　特許第３１２８４９９号の請求項１に係る特許を維持する。
【理　由】
１．手続の経緯
　本件特許３１２８４９９号に係る発明についての出願は、平成８年１月２５日になされたものであって、平成１２年１１月１０日に、特許の設定登録がなされ、その後、原弘光より特許異議の申立がなされ、そして、取消理由が通知され、その指定期間内である平成１３年１２月２７日に訂正請求がなされたものである。
　
２．訂正の適否についての判断
２−１　特許権者の求めている訂正
　特許権者が求めている訂正は、平成１３年１２月２７日付け訂正請求書に記載された、以下のとおりのものである。
　
２−１−１　特許請求の範囲の記載に関して
　訂正事項１　
【請求項１】に記載の「・・前記絞り部の下流の前記出口流路に介装され、前記出口流路を幅方向に区隔する４枚以上の整流板と・・」を「・・前記絞り部の下流の前記出口流路に前記絞り部に隣接して介装され、前記出口流路を幅方向に区隔する４枚以上の整流板と・・」と訂正する。
　
２−１−２　発明の詳細な説明の記載に関して
　訂正事項２
　段落番号【０００６】に記載の「・・前記絞り部の下流の前記出口流路に介装され、前記出口流路を幅方向に区隔する４枚以上の整流板と・・」を「・・前記絞り部の下流の前記出口流路に前記絞り部に隣接して介装され、前記出口流路を幅方向に区隔する４枚以上の整流板と・・」と訂正する。
　
２−２　訂正の目的の適否、新規事項の有無及び拡張・変更の存否
　特許明細書の請求項１には、発明を特定する構成として「４枚以上の整流板」が記載されており、同構成と関連して段落番号【００１３】に「・・（・・テーパ付出口４３が本発明の絞り部に相当する）。」と、段落番号【００１８】に、「これによりスリット板２は、主火口１３の外側を形成する外側帯状金属板２０（本発明の整流板）と、主火口１３の内側を形成する内側帯状金属板２４（本発明の整流板）とで構成され、・・」と記載され、更に、段落番号【００２２】に「〔実施形態の作動および効果〕本実施形態の偏平ガス機器用バーナ１は、主バーナ１１の上方流路４２とテーパ付出口４３とが主火口１３へ混合気をバーナ１の長手方向（幅方向）に流量が均一的になるように導く。そして主火口１３内の流路は長手方向に連通しているため、主火口１３に流入する混合気の流量はさらに偏りが少なくなるよう均一化される。また主火口１３は５分割され、第６膨出部２７が付加されているため主火口１３内の混合気の流路が上下方向に細長くなり混合気の流れが上下方向に整流される。」と記載されるとともに、段落番号【００２３】に「さらに、スリット板２の下方の流路の厚さ方向の中央部を通過する動圧および流量の大きい（図６（ｅ）の動圧分布ｐ参照）混合気は、狭い内側火口内流路２００を通過するため上下方向に効率的に整流される。・・」と記載され、図６（ｄ），（ｅ）には、「４３」の符号が付された位置の上方に符号「３」が付された図形が拡径する途中に、弓形に図示され符号「Ｐ」が付された実線と、符号「２０」及び「２４」が付された４個の図形の図形の端部とが図示されておるので、整流板を介装する位置として、「下流の前記出口流路に前記絞り部に隣接」なる事項は、特許明細書に記載される技術的事項である。
　したがって、訂正事項１は、特許明細書の請求項１に記載された事項をその目的の範囲で、特許明細書に記載された技術的事項により限定するものであるから、特許請求の範囲の減縮に該当するものであって、特許請求の範囲を何等変更又は拡張するものではなく、しかも、新規事項を追加するものではない。
　
　訂正事項２は、上記の訂正事項１に合わせ、不明瞭となる記載を釈明するものであり、新規事項を追加せず、しかも、実質上特許請求の範囲を拡張し、又は変更するものではない。
　
２−３　むすび
　上記訂正は、特許異議の申立がなされていない請求項に係るものではなく、上記の通り、特許法第１２０条の４第２項及び同条第３項で準用する特許法第１２６条第２項及び第３項の規定に適合するので、当該訂正を認める。
　
３．特許異議申立に対する判断
３−１　申立て理由の概要
　特許異議申立人原弘光は、
甲第１号証：特開平５−２９６４１８号公報
甲第２号証：特開昭５０−１０４４３１号公報
甲第３号証：実願昭５０−１２１６７２号（実開昭５２−３５５３６号）のマイクロフィルム
甲第４号証：特開平４−２０３７０３号公報
甲第５号証：特開平５−１０５１０号公報
を提出して、甲第１号証には、
偏平な主バーナ（第１のバーナユニット１ａ）の主火口（炎孔部３ａ）の両側に、該主火口（炎孔部３ａ）を挟んだ偏平な袖火口（炎孔部３ｂ）を形成する袖火バーナ（第２のバーナユニット１ｂ）を設け、
主バーナ（第１のバーナユニット１ａ）と袖火バーナ（第２のバーナユニット１ｂ）とに別個のノズル（ノズル１７ａ，１７ｂ）から燃料ガスを供給する偏平ガス機器用バーナであって、
前記主バーナ（第１のバーナユニット１ａ）は、該主バーナ（第１のバーナユニット１ａ）の一側から燃焼用の混合気を吸入するための入口流路（導入部４ａ）と、
前記主バーナ（第１のバーナユニット１ａ）の上端に設けられている前記主火口（炎孔部３ａ）に前記混合気を流出させる出口流路（炎孔部３ａの直上流側）と、
前記入口流路（導入部４ａ）と前記出口流路（炎孔部３ａの直上流側）とを連絡する中間流路（混合管部５ａ）と、
前記出口流路（炎孔部３ａの直上流側）に設けられ、前記主火口（炎孔部３ａ）から噴出する前記混合気を前記主火口（炎孔部３ａ）の全幅に沿って均一化させるように、前記主バーナ（第１のバーナユニット１ａ）の両側壁を内側に対称的に膨出させて形成した間隙からなる絞り部（絞り部９ａ）とを具備し
前記絞り部（絞り部９ａ）の下流の前記出口流路（炎孔部３ａの直上流側）に介装され、前記出口流路（炎孔部３ａの直上流側）を幅方向に区隔する４枚以上の整流板（帯板６ａ）とを備える偏平ガス機器用バーナである
窒素酸化物低発生バーナの発明
が記載される旨主張し、更に、整流板間の間隔を、主火口の内側のもの程狭くした点は、甲第２、３号証に記載されるとともに、騒音に関し、ガスの流速が部分的に早くなることで発生するリフトに影響されることに基づいて、耐リフト性の高い安定燃焼を行わせることにより、低騒音化を図ることは、甲第４、５号証に記載されているので、本件請求項１に係る発明は、甲第１〜５号証の刊行物に記載された発明に基づいて、当業者が容易に発明をすることができたものであるから、特許法第２９条第２項の規定により特許をうけることができない。
　したがって、同発明に係る特許は、特許法第１１３条第２号の規定により取り消されるべきものである旨主張している。
　
３−２　本件の発明
　本件の請求項１に係る発明は、訂正された特許請求の範囲に記載された以下の事項により特定されるものである。
偏平な主バーナの主火口の両側に、該主火口を挟んだ偏平な袖火口を形成する袖火バーナを設け、主バーナと袖火バーナとに別個のノズルから燃料ガスを供給する偏平ガス機器用バーナであって、
　前記主バーナは、該主バーナの一側から燃焼用の混合気を吸入するための入口流路と、
　前記主バーナの上端に設けられている前記主火口に前記混合気を流出させる出口流路と、
　前記入口流路と前記出口流路とを連絡する中間流路と、
　前記出口流路に設けられ、前記主火口から噴出する前記混合気を前記主火口の全幅に沿って均一化させるように、前記主バーナの両側壁を内側に対称的に膨出させて形成した間隙からなる絞り部と、
前記絞り部の下流の前記出口流路に前記絞り部に隣接して介装され、前記出口流路を幅方向に区隔する４枚以上の整流板と
を備える偏平ガス機器用バーナにおいて、前記整流板間の間隔は、前記主火口の内側のもの程狭いことを特徴とする偏平ガス機器用バーナ。　
　
３−３　甲各号証の刊行物に記載された発明
　甲第１号証の刊行物である「特開平５ー２９６４１８号公報」の段落番号【０００４】に、
「・・本発明の目的は、バーナの実装密度を高くして大燃焼量を得ることができるようにすると共に燃料希薄な混合気による燃焼を安定的に行わせるようにして窒素酸化物と騒音の低減を図ることを目的とするものである。」と
段落番号【００１２】に、
「次に本発明の実施例を図について説明する。図１〜図１１は本発明のバーナの第１の実施例に対応するもので、まず図１、図４は夫々第１、第２のバーナユニット１ａ，１ｂの一例を示す斜視図である。これら第１、第２のバーナユニット１ａ，１ｂは、いずれも夫々縦型扁平のバーナ器体２ａ，２ｂの上部に炎孔部３ａ，３ｂ、下部の横側に燃料ガスと空気の導入部４ａ，４ｂを構成し、該導入部４ａ，４ｂから炎孔部３ａ，３ｂに至る混合管部５ａ，５ｂを構成したものである。この混合管部５ａ，５ｂは、上述した混合経路に対応するものである。・・」と、
段落番号【００１３】に、
「上記第１、第２のバーナユニット１ａ，１ｂのバーナ器体２ａ，２ｂは、厚さの薄い上側部分ｕと厚い下側部分ｄとを構成しており、上側部分ｕに炎孔部３ａ，３ｂを構成し、下側部分ｄに導入部４ａ，４ｂと混合管部５ａ，５ｂを構成している。炎孔部３ａは、バーナ器体２ａの上側部分ｕに、整流板としての２枚の帯板６ａを所定間隔をあけて介在させ、この上側部分ｕを所定間隔毎に帯板６ａと共に狭窄することにより、３つの開口部に分割された短スリット状開口部７ａを長さ方向に９個列設した構成としている。・・」と
段落番号【００１４】に、
「次に、導入部４ａ，４ｂは下側部分ｄの一方の端側に開口した開口部として構成しており、開口部の内側にはスロート部８ａ，８ｂを構成している。そしてスロート部８ａ，８ｂから下側部分ｄの他方の端側に向い、折り返して上側部分ｕの下端に至る上記混合管部５ａ，５ｂを構成している。・・」と、
段落番号【００１５】に、
「一方、第１、第２のバーナユニット１ａ，１ｂは、共に上側部分ｕに、これを横断する絞り部９ａ，９ｂを形成しており、また第１のバーナユニット１ａには上記絞り部９ａよりも上流側に、所定間隔毎に狭窄部１０を形成して整流部を構成している。・・」と、
段落番号【００１７】に、
「これらの図に示すように上述した第１、第２のバーナユニット１ａ，１ｂの多数は、それらの炎孔部３ａ，３ｂを同一高さ又は若干の高低差を持たせて交互に列設した状態で支持箱体１５に支持して構成している。・・また図５、図６から明らかなようにバーナの両端側には第２のバーナユニット１ｂを位置させている。」と、
段落番号【００２６】に、
「以上のような混合気の供給により、第１のバーナユニット１ａの炎孔部３ａの上方には燃料希薄な混合気の燃焼による火炎（第１の火炎２１ａ）が形成され、また第２のバーナユニット１ｂの炎孔部３ｂの上方には燃料濃厚な混合気の燃焼による火炎（第２の火炎２１ｂ）が形成される。この際、第２のバーナユニット１ｂはバーナの両端側に位置しているので、第１の火炎２１ａの両側には必ず第２の火炎２１ｂが存在することになる。」と、
段落番号【００２７】に、
「第１の火炎２１ａは燃料希薄な混合気の燃焼によるものであるので単独では安定性が悪いのであるが、その両側に位置する第２の火炎２１ｂは燃料濃厚な混合気の燃焼によるものであるため安定しており、この安定している第２の火炎２１ｂが種火として作用して第１の火炎２１ａを安定化する。従って第１の火炎２１ａのリフトや振動燃焼が起こり難く、騒音の発生が抑制される。」と、
段落番号【００１２】に、
「・・これら第１、第２のバーナユニット１ａ，１ｂは、いずれも夫々縦型扁平のバーナ器体２ａ，２ｂの上部に炎孔部３ａ，３ｂ、下部の横側に燃料ガスと空気の導入部４ａ，４ｂを構成し、該導入部４ａ，４ｂから炎孔部３ａ，３ｂに至る混合管部５ａ，５ｂを構成したものである。・・」と、
それぞれ記載されており、甲第１号証の第１図の記載からみて、第１のバーナユニット（１ａ）および第２のバーナユニット（１ｂ）は、本件請求項１に係る発明と同様に、それぞれその導入部（４ａ）または（４ｂ）の部分に、それぞれ両導入部（４ａ）、（４ｂ）に燃料ガスを供給する別個のノズルを備えることが明らかである。　
　また、第１〜４図の記載からみて、第１のバーナユニット（１ａ）は、本件請求項１に係る発明と同様、その上端に炎孔部（３ａ）に混合気を流出させる出口流路、および、導入部（４ｂ）と前記出口流路とを連絡する中間流路とを備えているものと認められる。
　したがって、甲第１号証に記載された発明を、本件請求項１に係る発明に対応して記載すると以下のとおりのものと認める。
偏平な第１のバーナユニット（１ａ）の炎孔部（３ａ）の両側に、該第１のバーナユニット（１ａ）を挟んだ偏平な炎孔部（３ｂ）を形成する第２のバーナユニット（１ｂ）を設け、第１のバーナユニット（１ａ）と第２のバーナユニット（１ｂ）とに別個のノズルから燃料ガスを供給する窒素酸化物低発生用バーナであって、前記第１のバーナユニット（１ａ）は、該第１のバーナユニット（１ａ）の一側から混合気を吸入するための導入部（４ａ）と、前記第１のバーナユニット（１ａ）の上端に設けられている前記炎孔部（３ａ）に前記混合気を流出させる出口流路と、前記導入部（４ａ）と前記出口流路とを連絡する中間流路と、前記出口流路に設けられ、前記主バーナの両側壁を内側に対称的に膨出させて形成した間隙からなる絞り部（９ａ）と、前記絞り部（９ａ）の下流の前記出口流路に介装され、前記出口流路を幅方向に区隔する２枚の帯板（６ａ）とを備える窒素酸化物低発生用バーナ。
　次いで、甲第２号証の刊行物である「特開昭５０−１０４４３１号公報」の第１頁下段右欄第１８行〜第２頁上段左欄第８行には、
「本発明は以上の欠点に鑑みてなされたもので各種の燃料ガスに適合するユニバーサル性をもち、赤火や逆火が発生しにくい燃焼性の良好な矩形型の炎孔を備えたガスバーナを得ることを目的とする。本発明の実施例である炎孔形状は第４図のごとくであり、長手方向に２枚のセパレータ１を設け等巾ａの外炎孔２とｂ巾の内炎孔３より形成される矩形型の炎孔形状を有し、さらに、外炎孔巾の和／内炎孔巾 すなわち２ａ／ｂ の値を３．３〜５の範囲とする。」と
記載されるとともに、甲第３号証の刊行物である「実願昭５０−１２１６７２号（実開昭５２−３５５３６号）のマイクロフィルム」の明細書第１頁第１３行〜第２頁第３行には、
「一般に風呂釜や湯沸器用のガスバーナとしては、・・炎口形状が短形のもので、例えば第１図、第２図に示すようにバーナ本体１の間に分流板２を挟み、内炎口４及び外炎口５を形成したものが多い。・・外炎口巾ａは１ｍｍ前後で内炎口巾ｂは外炎口巾ａの１〜１／２倍が最適である。」と
記載されており、甲第２，３号証には、それぞれ、
間隔を内炎孔巾（ｂ）が外炎孔巾（ａ）より狭くなるように、セパレータ１、分流板２の間隔を設定する発明
が記載されるものと認める。
　また、甲第４号証の刊行物である「特開平４−２０３７０３号公報」の第２頁下段左欄第１〜２行に「（１１）は燃焼管（１）の混合室（４）上部に並設した複数の仕切板・・」と
記載され、第２，３図には４枚以上の仕切板（１１）が図示されているので、甲第４号証には、
４枚以上の仕切板（１１）を用いる発明
が記載されるものと認める。
　さらに、甲第５号証の刊行物である「特開平５−１０５１０号公報」の段落番号【００１１】には、
「・・主炎は薄膜に形成されるため、２次空気との混合が良好で局部的高温域の発生を少なくし、低ＮＯｘ化を達成できると共に耐リフト性の高い安定した燃焼により低騒音化できる。」と
記載されており、同記載と図面の記載とを併せみれば、甲第５号証には、
２次空気との混合が良好で局部的高温域の発生を少なくすることにより、低ＮＯｘ化を達成し、耐リフト性の高い安定した燃焼により低騒音化を図るために、主炎を薄膜に形成されるように、燃焼管内板を設ける発明
が記載されるものと認める。
　
３−４　対比判断
　訂正された本件請求項１に記載された発明と甲第１号証に記載された発明とを比較すると、甲第１号証に記載された発明における上記、「第１のバーナユニット（１ａ）」、「第２のバーナユニット（１ｂ）」、「炎孔部（３ａ）」、「炎孔部（３ｂ）」、「窒素酸化物低発生用バーナ」、「混合気」、「導入部（４ａ）」、「絞り部（９ａ）」および「帯板（６ａ）」は、本件請求項１に係る発明のそれぞれ「主バーナ」、「袖火バーナ」、「主火口」、「袖火口」、「扁平ガス機器用バーナ」、「燃焼用の混合気」、「入口流路」、「絞り部」および「整流板」に相当することが明らかであるから、両発明は、
偏平な主バーナの主火口の両側に、該主火口を挟んだ偏平な袖火口を形成する袖火バーナを設け、主バーナと袖火バーナとに別個のノズルから燃料ガスを供給する偏平ガス機器用バーナであって、前記主バーナは、該主バーナの一側から燃焼用の混合気を吸入するための入口流路と、前記主バーナの上端に設けられている前記主火口に前記混合気を流出させる出口流路と、前記入口流路と前記出口流路とを連絡する中間流路と、前記出口流路に設けられ、前記主バーナの両側壁を内側に対称的に膨出させて形成した間隙からなる絞り部と、前記絞り部の下流の前記出口流路に介装され、前記出口流路を幅方向に区隔する整流板とを備える偏平ガス機器用バーナ
の発明である点で一致するものの、甲第１号証に記載の帯体は、４枚以上ではなく、絞り部（９ａ）の下流の前記出口流路に介装されるものの、絞り部に隣接して介装することを開示するものではい。そして、帯体の間隔について特段の開示は認められないので、甲第１号証に示される絞り部の間隙がどのように形成されるかは、さておいて、両発明は、少なくとも、以下の点で相違している。
相違点
本件請求項１に係る発明の整流板は、絞り部の下流の前記出口流路に前記絞り部に隣接して介装され、４枚以上であり、その間隔が、主火口の内側のもの程狭いのに対し、甲第１号証には、その点が記載されない点。
　本件請求項１の発明は、同相違点の構成を有することにより、段落番号【００２３】に記載されるように、「さらに、スリット板２の下方の流路の厚さ方向の中央部を通過する動圧および流量の大きい（図６（ｅ）の動圧分布ｐ参照）混合気は、狭い内側火口内流路２００を通過するため上下方向に効率的に整流される。以上より主火口１３の火炎は上下方向の真っ直ぐなものとなる。このため主火口１３の火炎はリフトの発生、消滅や横振れによる振動を抑制され安定化する。このため主火口１３における騒音発生が極めて少ない。」という効果を奏するものであるから、同構成の採用を設計上の事項に属するとすることはできない。
　以下、甲第２〜５号証の刊行物の記載について検討すると、甲第２，３号証の刊行物には、上記の通り、本件請求項１に係る発明の「整流板」に相当する「セパレータ」、「分流板」の間隔に係る開示はあるものの、絞り部に隣接して介装することを前提とするものではないため、その間隔に係る開示も、絞り部に隣接する部位の動圧の分布に起因する問題点を解決するための技術を開示又は示唆するものではないから、上記相違点を甲第２，３号証に開示されているとすることはできないばかりではなく、甲第２，３号証のものに基づいて容易になしえたとすることもできない。
　さらに、甲第４、５号証の刊行物に開示される「仕切板」「燃焼管内板」は、絞り部に隣接して介装することを前提として開示されるものではなく、上記相違点を甲第３，４号証に、開示又は示唆されるとすることはできない。
　よって、上記相違点の構成をその構成の一部とする本件請求項１に係る発明を、上記相違点の構成を開示するものではなく、それを示唆するものでもない甲各号証の刊行物に記載された発明とすることはできないばかりではなく、甲各号証の刊行物に記載された発明から当業者が容易に発明をすることができた発明とすることはできないので、特許異議申立人の主張は採用しない。
　
３−５　取消理由通知について
　当審において通知した取消理由は、前記甲第１〜３号証の刊行物に加えて、特開昭６３−２０１４１５号公報を引用するものであるが、上記検討のとおり、甲第１〜３号証は、本件請求項１に係る発明にの構成の一部である上記相違点の構成を開示も示唆もなすものではなく、特開昭６３−２０１４１５号公報には、絞り部（７）が炎孔（３）から噴出する混合ガスを炎孔（３）の全幅に沿って均一化させるように絞り部を構成することが記載されものの、整流板の配置位置を絞り部に隣接させた位置とすることを何等開示するものではない。
　よって、上記相違点の構成をその構成の一部とする本件請求項１に係る発明を、同構成を開示も示唆もなすものではない取消理由に引用した刊行物に記載された発明とすることはできないばかりではなく、それらの刊行物に記載された発明に基づいて当業者が容易に発明をすることができた発明とすることはできない。
　また、上記相違点の構成を慣用される技術であるとする客観的証拠は何等ない。
　したがって、当審において通知した取消の理由によっては、同発明ついての特許を取り消すことはできない。
　　
３−６　むすび
　以上説示の通り、各特許異議申立の理由及び証拠によっては、本件請求項１に係る発明についての特許を取り消すことはできない。
　他に本件請求項１に係る発明についての特許を取り消すべき理由を発見しない。
　よって、結論のとおり決定する。
【異議決定日】
平成１４年２月７日（２００２．２．７）
【訂正の要旨】
１　特許請求の範囲の記載に関して
　訂正事項１
　【請求項１】に記載の「・・前記絞り部の下流の前記出口流路に介装され、前記出口流路を幅方向に区隔する４枚以上の整流板と・・」を「・・前記絞り部の下流の前記出口流路に前記絞り部に隣接して介装され、前記出口流路を幅方向に区隔する４枚以上の整流板と・・」と訂正する。
２　発明の詳細な説明の記載に関して
　訂正事項２
　段落番号【０００６】に記載の「・・前記絞り部の下流の前記出口流路に介装され、前記出口流路を幅方向に区隔する４枚以上の整流板と・・」を「・・前記絞り部の下流の前記出口流路に前記絞り部に隣接して介装され、前記出口流路を幅方向に区隔する４枚以上の整流板と・・」と訂正する。
（５４）【発明の名称】
偏平ガス機器用バーナ
（５７）【特許請求の範囲】
　【請求項１】
　偏平な主バーナの主火口の両側に、該主火口を挟んだ偏平な袖火口を形成する袖火バーナを設け、主バーナと袖火バーナとに別個のノズルから燃料ガスを供給する偏平ガス機器用バーナであって、
　前記主バーナは、該主バーナの一側から燃焼用の混合気を吸入するための入口流路と、
　前記主バーナの上端に設けられている前記主火口に前記混合気を流出させる出口流路と、
　前記入口流路と前記出口流路とを連絡する中間流路と、
　前記出口流路に設けられ、前記主火口から噴出する前記混合気を前記主火口の全幅に沿って均一化させるように、前記主バーナの両側壁を内側に対称的に膨出させて形成した間隙からなる絞り部と、
　前記絞り部の下流の前記出口流路に
前記絞り部に近接して
を備える偏平ガス機器用バーナにおいて、
　前記整流板間の間隔は、前記主火口の内側のもの程狭いことを特徴とする偏平ガス機器用バーナ。
【発明の詳細な説明】
　【０００１】
　【発明の属する技術分野】
　本発明は、給湯器等に使用されるガス機器用バーナの低騒音化に関する。
　【０００２】
　【従来の技術】
　給湯器等に用いられるガス機器用バーナは、偏平な主バーナの主火口の両側に、該主火口を挟んだ偏平な袖火口を形成する袖火バーナを設けている。
　【０００３】
　そして、主バーナと袖火バーナとに別個のノズルから燃料ガスを供給し、主火口で理論空燃比を有する燃料空気混合気より燃料の希薄な燃料空気混合気（以下エアリッチ混合気という）を燃焼させ、袖火口で理論空燃比を有する燃料空気混合気より燃料の濃い燃料空気混合気（以下ガスリッチ混合気という）を燃焼させる（いわゆる濃淡燃焼）ことにより、全体を均一な混合気で燃焼させた場合に、１２０ｐｐｍ程排出されている窒素酸化物（ＮＯｘ）を４０〜６０ｐｐｍに低減できる。
　【０００４】
　また、主火口は燃焼速度の大きい淡火炎を生ずるエアリッチ混合気を整流するための４枚以上のスリット板を等間隔で互いに平行に配置することにより、複数の偏平な流路に区画されている。さらに主バーナの流路は、主火口から流出するエアーリッチ混合気の流速が主バーナの幅方向に均一な分布となるように主火口の直前部が主バーナの厚さ方向に主バーナの両側から絞られた絞り部となっている。
　【０００５】
　【発明が解決しようとする課題】
　上記の構成のガス機器用バーナでは、主火口の幅方向に直角である厚さ方向におけるエアリッチ混合気の流速分布が中央程大きいことが火炎の振動の要因となり騒音の原因となっていた。
　本発明の目的は、騒音の小さい偏平ガス機器用バーナを提供することにある。
　【０００６】
　【課題を解決するための手段】
　本発明は、偏平な主バーナの主火口の両側に、該主火口を挟んだ偏平な袖火口を形成する袖火バーナを設け、主バーナと袖火バーナとに別個のノズルから燃料ガスを供給する偏平ガス機器用バーナであって、前記主バーナは、該主バーナの一側から燃焼用の混合気を吸入するための入口流路と、前記主バーナの上端に設けられている前記主火口に前記混合気を流出させる出口流路と、前記入口流路と前記出口流路とを連絡する中間流路と、前記出口流路に設けられ、前記主火口から噴出する前記混合気を前記主火口の全幅に沿って均一化させるように、前記主バーナの両側壁を内側に対称的に膨出させて形成した間隙からなる絞り部と、前記絞り部の下流の前記出口流路に
前記絞り部に近接して
　【０００７】
　【発明の実施の形態】
　次に、本発明の偏平ガス機器用バーナを、図に示す一実施形態に基づき説明する。
　本実施形態では複数のガス機器用バーナを給湯器用加熱源に用いる。
　【０００８】
　〔ガス機器用バーナの構成〕
　複数の偏平ガス機器用バーナ１が所定の間隔で枠体に列設され固定されている。各偏平ガス機器用バーナ１は、主炎を発生する主バーナ１１と、主バーナ１１の両側に袖火の炎を発生させる袖火バーナ１２とで構成される。主バーナ１１は細長い主火口１３と主火口１３へ下方から混合気を導入する偏平な第１混合気導入部１４とからなる。袖火バーナ１２は、主火口１３の両側に帯状の空間を隔てて配される偏平なスリット状の袖火口１５と袖火口１５へ下方から混合気を導入する第２混合気導入部１６とからなる。
　【０００９】
　主バーナ１１は、主火口１３を形成する一対の対接したスリット板２と、スリット板２を上部に挟んで側壁をなし第１混合気導入部１４を形成し主火口１３への混合気を吸入する側壁板３とを備える。そして側壁板３には、側壁板３と共に袖火バーナ１２を形成する側壁板覆い５が被せられている。
　側壁板３は金属板に膨出加工を施し折り曲げて２重に重ね、折り曲げによって生じた折り曲げ部３１が下端となり一対のスリット板２を挟む細長い開口３２（図４参照）が上端となる面対称な形状に成形されている。
　【００１０】
　側壁板３の上部には一対のスリット板２を挟むための水平方向の内側へ膨出した膨出条３３（図６（ｄ）参照）が形成されている。また側壁板３の上部の開口３２の幅方向の両端にはスリット板２の端部を差し込むための第１緊縛間隙３４が設けられている。そして膨出条３３の内側の上部とスリット板２の外側面２０２と側壁板３の膨出条３３の上方の内側面３５とが帯状の空間を囲む盲空隙としての区画部３６を形成する。
　側壁板３の上下方向の端縁部３７は、それぞれ２つの平板状の辺部が重ねられている。
　【００１１】
　一方の端縁部３７は下方部分に取付け用の切欠き３８が設けられ上方部分は一方の辺部の上方部に張出し部３９が設けられ、この張出し部３９が折り曲げられて他方の辺部の上方部に重ねられて２つの辺部の上方部を圧着している。また他方の端縁部３７は一方の辺部の中央から下方に渡って張出し部３９が設けられ、張出し部３９が折り曲げられて他方の辺部の中央から下方にわたって重ねられて２つの辺部を圧着している。さらに一方の端縁部３７の上方部分と他方の端縁部３７の中央部分および下方部分とにはスポット溶接が施されている。
　【００１２】
　側壁板３は下部に第１混合気導入部１４と、袖火口１５への混合気を吸入する袖火バーナ１２用吸入部３００とが外側へ膨出して形成されている。
　第１混合気導入部１４は、切欠き３８側の一方の端縁部３７の下方に設けられた主バーナ用吸入口４と主バーナ用吸入口４から水平に伸び他方の端縁部３７近傍において上方へ湾曲する下方流路４０とを有する（主バーナ用吸入口４、下方流路４０が本発明の入口流路に相当する）。下方流路４０の上部には下方流路４０の上端と水平な水平段４１１を介して連通する下方流路４０より厚さの薄い中間流路４１が設けられている。
　【００１３】
　中間流路４１の上部には、傾斜段４２１を介して中間流路４１の上端に接続され、他方の端縁部３７から一方の端縁部３７に至ると共に中間流路４１より厚さの薄い上方流路４２が設けられている。この上方流路４２の上部には、一方の端縁部３７側から他方の端縁部３７側に向けて厚さが薄くなるテーパ付出口４３が形成され（図８参照）主火口１３に接続している（上方流路４２、テーパ付出口４３、側壁板３の上部が本発明の出口流路に相当し、テーパ付出口４３が本発明の絞り部に相当する）。
　【００１４】
　袖火バーナ１２用吸入部３００は、主バーナ用吸入口４の上方に設けられた袖火バーナ１２用吸入口３０１と、袖火バーナ１２用吸入口３０１から水平に伸び筒状のスロートを形成するスロート部３１０とからなる。スロート部３１０の端部の両側の外表面には、傾斜した細長い平面部３１１がそれぞれ設けられており、平面部３１１には混合気を排出する小穴３１２が３個ずつ列設されている。
　【００１５】
　側壁板覆い５は、金属板の中央部に全幅に渡って一列に５つの矩形の打ち抜き部５０を連設しこの打ち抜き部５０の列の両側に膨出加工を施して第１膨出部５１をなし、打ち抜き部５０の列の両側を折り曲げて略コ字状の面対称に形成される。
　打ち抜き部５０の列が側壁板３の上部に重なり主火口１３、区画部３６、袖火口１５が打ち抜き部５０から露出し、第１膨出部５１が側壁板３の両側面を覆う。第１膨出部５１の上部には、第１緊縛間隙３４に外接する第２緊縛間隙５６が形成されている。そして側壁板３の端縁部３７に重なる側壁板覆い５の端部の平板部５７が側壁板３にスポット溶接される。
　【００１６】
　第１膨出部５１は、側壁板３を包んでスリット状の袖火口１５を主火口１３の両側に形成する。また第１膨出部５１はテーパ付出口４３、上方流路４２、袖火バーナ１２用吸入部３００を包んで袖火バーナ１２用吸入口３０１から小穴３１２を経て袖火口１５に至る袖火口用流路５２を主バーナ１１の両側に形成して第２混合気導入部１６を形成する。
　第１膨出部５１は中央部に略切欠き円状の下方に凸な輪郭をなし側壁板３の上方流路４２の部分に接触する第１凹所５３が設けられ、上部には側壁板３に接触すると共に袖火口１５を幅方向に５分割する４つの縦方向に長い第２凹所５４が設けられている。
　【００１７】
　第１膨出部５１の上部の両端には、側壁板３に接触する横長の第３凹所５５がそれぞれ設けられている。
　そして第１膨出部５１は中間流路４１側の下端部が水平段４１１に当接して下方流路４０より薄い中間流路４１に重なり、側壁板覆い５の厚さによる側方への突出を軽減している。
　主バーナ１１のスリット板２は、金属板に打ち抜きと膨出成形を施し２重に折り曲げることにより、図５（ａ）の正面図、（ｂ）の背面図、（ｃ）の上面図に示すように形成される。
　【００１８】
　これによりスリット板２は、主火口１３の外側を形成する外側帯状金属板２０（本発明の整流板）と、主火口１３の内側を形成する内側帯状金属板２４（本発明の整流板）とで構成され、外側帯状金属板２０と内側帯状金属板２４の各２枚共同一の形状と大きさに製作される。
　外側帯状金属板２０は、下縁に内側帯状金属板２４の下縁と連結する４つの連結部分２１を有する。また各連結部分２１の上部には内側へ膨出する上下方向に長い第２膨出部２２が形成され、各第２膨出部２２の上部には第２膨出部２２と分離した内側へ膨出する上下方向に長い第３膨出部２３が第２膨出部２２と同じ高さに形成され上縁に達している。
　【００１９】
　内側帯状金属板２４は、外側帯状金属板２０よりも高さが高く、上縁が外側帯状金属板２０の上縁と揃い下縁は外側帯状金属板２０の下縁よりも下方に延長した位置にある。そして内側帯状金属板２４は、各連結部分２１の上部に内側へ膨出する円形の輪郭の第４膨出部２５が形成されている。また、各第４膨出部２５の上部には第４膨出部２５と分離した内側へ膨出する上下方向に長い第５膨出部２６が第４膨出部２５と同じ高さに形成され上縁に達している。また、各連結部分２１の間の上下方向の中央よりやや下方よりの位置には上下方向に細長い輪郭の第６膨出部２７が第４、第５膨出部２５、２６より低い高さで形成される。さらに内側帯状金属板２４の主火口１３の幅方向の両端には、第１緊縛間隙３４に差し込むための突出板２８が設けられている。
　【００２０】
　そして、図６および図７に示すように第２膨出部２２の内側面が第４膨出部２５の外側面に当接し、第３膨出部２３の内側面が第５膨出部２６の外側面に当接することにより外側帯状金属板２０と内側帯状金属板２４との間に中央で水平方向に連通した５つの上下方向の外側火口内流路２９が形成される。
　【００２１】
　さらにそれぞれのスリット板２の内側帯状金属板２４が対接することにより、第４膨出部２５同士と第５膨出部２６同士とがそれぞれ当接し下縁と中央部で連通した５つの上下方向の内側火口内流路２００が形成される。内側火口内流路２００は対向した第６膨出部２７により２つの上下方向流路２０１からなる。また、対接した内側帯状金属板２４間の距離Ｌ１は、隣り合う外側帯状金属板２０と内側帯状金属板２４との間の距離Ｌ２に対して０．７５×Ｌ２の大きさであり、内側火口内流路２００は外側火口内流路２９に比べて偏平な狭い流路となっている。
　【００２２】
　〔実施形態の作動および効果〕
　本実施形態の偏平ガス機器用バーナ１は、主バーナ１１の上方流路４２とテーパ付出口４３とが主火口１３へ混合気をバーナ１の長手方向（幅方向）に流量が均一的になるように導く。そして主火口１３内の流路は長手方向に連通しているため、主火口１３に流入する混合気の流量はさらに偏りが少なくなるよう均一化される。
　また主火口１３は５分割され、第６膨出部２７が付加されているため主火口１３内の混合気の流路が上下方向に細長くなり混合気の流れが上下方向に整流される。
　【００２３】
　さらに、スリット板２の下方の流路の厚さ方向の中央部を通過する動圧および流量の大きい（図６（ｅ）の動圧分布ｐ参照）混合気は、狭い内側火口内流路２００を通過するため上下方向に効率的に整流される。
　以上より主火口１３の火炎は上下方向の真っ直ぐなものとなる。このため主火口１３の火炎はリフトの発生、消滅や横振れによる振動を抑制され安定化する。このため主火口１３における騒音発生が極めて少ない。
　【００２４】
　また、側壁板覆い５に第１凹所５３が設けられているため袖火口用流路５２から袖火口１５に至る混合気が均一になり、袖火口１５が５分割されているため袖火口１５の火炎も振動が抑制される。そして袖火口１５の火炎は区画部３６により主火口１３の火炎に対し保炎効果を生じる。
　この保炎効果により主火口１３の火炎はさらに安定化し騒音発生が極めて少ない。
　【００２５】
　偏平ガス機器用バーナ１の周波数に対する騒音の大きさを従来の偏平ガス機器用バーナと比較した結果を図９に示す。偏平ガス機器用バーナ１の騒音は、図９の（ア）に示すように従来の偏平ガス機器用バーナの騒音（イ）に比べて、特に６００Ｈｚから１．５ｋＨｚの範囲で低下（６ｄＢ）している。
　【００２６】
　〔変形例〕
　外側帯状金属板および内側帯状金属板の上下方向の長さは同じでもよい。
　主火口内に３枚以上のスリット板を配したり、さらに単独の帯状金属板を適宜組み合わせて主火口の仕切り間隔を主火口の内側程狭くしてもよい。
　第４膨出部２５或いは第５膨出部２６の数は４つに限らず任意の複数個でもよい。
　【００２７】
　第６膨出部２７は第４膨出部２５の間或いは第５膨出部２６の間に複数設けてもよい。
　第６膨出部２７は第４、第５膨出部２５、２６と同じ高さに形成し、対向する第６膨出部同士を当接させてもよい。
　第１凹所５３の形状、位置、個数は混合気の袖火口１５への均一な供給を促すよう適宜変更してもよい。
　【００２８】
　【発明の効果】
　本発明の偏平ガス機器用バーナでは、絞り部の厚さ方向の中央部は動圧が大きく比較的流量の大きい混合気は間隔の狭い整流板の間で間隔の広い整流板の間よりも整流される度合が大きいため、主火口の厚さ方向における流速分布が均一となって火炎は安定し、騒音が生じない。
【図面の簡単な説明】
　【図１】
　偏平ガス機器用バーナの斜視図である。
　【図２】
　側壁板および側壁板覆いの正面図である。
　【図３】
　偏平ガス機器用バーナの正面図である。
　【図４】
　偏平ガス機器用バーナの平面図である。
　【図５】
　スリット板の３面図である。
　【図６】
　図３のＡ−Ａ断面および混合気の動圧分布を示す図である。
　【図７】
　図３のＢ−ＢおよびＣ−Ｃ断面図である。
　【図８】
　図３のＤ−Ｄ断面図である。
　【図９】
　騒音特性を示す図である。
　【符号の説明】
　　１　偏平ガス機器用バーナ
　　４　主バーナ用吸入口（入口流路）
　１１　主バーナ
　１２　袖火バーナ
　１３　主火口
　１５　袖火口
　２０　外側帯状金属板（整流板）
　２４　内側帯状金属板（整流板）
　３３　膨出条（絞り部）
　４０　下方流路（入口流路）
　４１　中間流路
　４２　上方流路（出口流路）
　４３　テーパ付出口（絞り部）
　Ｌ１、Ｌ２　距離（間隔）